【手続補正書】
【提出日】平成15年3月4日(2003.3.4)
【手続補正１】
【補正対象書類名】明細書
【補正対象項目名】特許請求の範囲
【補正方法】変更
【補正の内容】
【特許請求の範囲】
【請求項１】
通信ネットワーク（複数可）を設計、配備、最適化または維持する方法であって、
（Ａ）通信ネットワークが設置されるかまたは設置されることになる物理的環境を表し、該物理的環境の少なくとも一部の表示を提供するコンピュータ化モデルと、
（Ｂ）前記物理的環境において使用される可能性のある複数のシステムコンポーネントの性能属性と、
１つまたは複数の
（Ｃ）前記コンピュータ化モデルと、前記複数のコンポーネントのうちの特定のコンポーネントの前記性能属性とを使用して前記通信ネットワークの性能特性を予測する１つまたは複数の予測モデルと、
（Ｄ）１つまたは複数の測定ラン中に１つまたは複数のロケーションにおいて前記物理的環境から採取される実際の性能測定値と、
（Ｅ）前記通信ネットワークの設置、調達および維持に関連するコストデータと
を提供するステップと、
前記通信ネットワークにおいて使用するために前記複数のシステムコンポーネントから特定のコンポーネントを選択するステップと、
前記コンピュータ化モデルを使用して前記物理的環境のコンピュータ表現を表示し、該コンピュータ表現が、該物理的環境内で前記選択するステップにおいて選択された特定のコンポーネントのロケーションと、該物理的環境内の１つまたは複数のロケーションに対する性能情報とを示し、該性能情報が、
（Ａ）１つまたは複数のアイコンの形態で前記１つまたは複数のロケーションに表示されるものと、
（Ｂ）実際の性能測定値と予測された性能値との比較を示すものと、
（Ｃ）２つ以上の測定ラン中に採取される実際の性能測定値の比較を示すものと、
（Ｄ）少なくとも２つの異なるシミュレーションで行われる少なくとも２つの異なる推定の比較を示すものと
のうちの任意の１つまたは複数であるステップと
を含む方法。
【請求項２】
前記表示するステップにおいて、前記コンピュータ表現を３次元で表示する請求項１記載の方法。
【請求項３】
前記表示するステップにおいて、前記１つまたは複数のアイコンを３次元で表示する請求項１または２記載の方法。
【請求項４】
前記表示するステップにおける（Ｂ）、（Ｃ）、または（Ｄ）で指定される比較を、該表示するステップにおいてコンピュータディスプレイ上に１つまたは複数のアイコンとして表示する請求項１ないし３のいずれか１項記載の方法。
【請求項５】
前記比較を示す前記１つまたは複数のアイコンを、前記物理的環境の前記コンピュータ表現における前記１つまたは複数のロケーションに表示する請求項４記載の方法。
【請求項６】
前記比較を示す前記１つまたは複数のアイコンは、１つまたは複数の注視点の機能（ｆｕｎｃｔｉｏｎａｌｉｔｙ）を有する請求項１ないし４のいずれか１項記載の方法。
【請求項７】
前記比較を示す前記１つまたは複数のアイコンは、注視点のグリッドの機能を有する請求項１ないし４のいずれか１項記載の方法。
【請求項８】
前記比較は、同じかまたは異なる、周波数、スペクトル帯域、動作モード、物理的環境、通信ネットワーク設計、ネットワークコンポーネント、データ伝送レート、パケットサイズ、変調技法、パワーレベル、疑似雑音符号順序制御、疑似雑音符号チップタイミング、光周波数帯域、ネットワークプロトコル、帯域幅、多重アクセス技法、アンテナ分配システム、アンテナシステム、配線アーキテクチャ、ケーブル布線方法、またはシステム分散方法、システムコンポーネントの物理的相互接続、ソースまたは誤り符号化方法、トラフィック負荷状況、ユーザ密度、伝播モデル、またはネットワーク構成のうちの任意のものを使用することに起因する通信ネットワークの性能に対する影響を示す請求項１ないし４のいずれか１項記載の方法。
【請求項９】
前記１つまたは複数のアイコンは、高さ、半径、明度、色相、彩度、線タイプおよび幅、透明度、および表面テクスチャからなるグループから選択される属性を有し、該属性のうちの１つまたは複数は、前記性能データによって変化する請求項１ないし８のいずれか１項記載の方法。
【請求項１０】
前記１つまたは複数のアイコンを、グラフィカルな円柱で示す請求項９記載の方法。
【請求項１１】
前記複数のシステムコンポーネントを、基地局、送受信機、ケーブル布線、コネクタ、スプリッタ、増幅器、アンテナ、送信機、ＲＦ配線、基地局コントローラ、交換機、光・ＲＦカプラ、無線アクセスポイント、トランスレータ、コンバータ、無線または赤外線または有線インフラストラクチャ、光またはＲＦまたはベースバンドネットワークコンポーネント、ファイアウォール、測定装置、減衰器、リピータ、カプラ、接続箱、スプライサ、ルータ、ハブ、トランスデューサ、および他のハードウェアコンポーネントからなるグループから選択する請求項１ないし１０のいずれか１項記載の方法。
【請求項１２】
前記性能情報を、信号対干渉比（ＳＩＲ）、信号対雑音比（ＳＮＲ）、無線信号強度（ＲＳＳＩ）、搬送波対雑音比（ＣＮＲ）、雑音、干渉、ＲＭＳ遅延スプレッド、歪み、カバレッジ領域、許容可能サービス領域、ビットまたはフレーム誤り率、ネットワークスループット、レイテンシ、パケット誤り率、サービス品質、許容可能サービス品質の領域、伝送トラフィック、無線周波数性能値、チップエネルギ対干渉比、搬送波対干渉比、減衰、電波伝搬効果、および他の無線通信または他のネットワーク性能測定基準からなるグループから選択する請求項１ないし１０のいずれか１項記載の方法。
【請求項１３】
前記表示するステップを、絶対値または相対値でもしくは差の絶対値または差の相対値で行う請求項１ないし１２のいずれか１項記載の方法。
【請求項１４】
１つまたは複数の携帯型受信機、１つまたは複数の固定受信機、１つまたは複数の遠隔測定装置、１つまたは複数の自律型測定装置、１つまたは複数のハンドヘルド測定装置、１つまたは複数のセンサ、１つまたは複数のセンサネットワーク、１つまたは複数の組込み受信機、無線ベースバンド、ＲＦまたは光ネットワークのための測定装置、有線ベースバンド、ＲＦまたは光ネットワークのための測定装置からなる測定装置グループのうちの１つまたは複数か、もしくはマニュアルデータ入力によって取得される測定値から、前記実際の性能測定値を取得するステップをさらに含む請求項１ないし１３のいずれか１項記載の方法。
【請求項１５】
前記実際の性能測定値を、前記測定装置グループからの１つまたは複数の受信機のうちの複数または組合せから、パラレルにまたはシリアルに取得する請求項１４記載の方法。
【請求項１６】
前記表示するステップを、クライアントまたはサーバのいずれかで実行することができる請求項１ないし１５のいずれか１項記載の方法。
【請求項１７】
前記表示するステップは、任意の角度、向き、距離または透視法からの視覚化を可能にする請求項１ないし１６のいずれか１項記載の方法。
【請求項１８】
測定値、予測値、測定値間の差、予測値間の差、または測定値と予測値との間の差を、すべて局所平均化する請求項１ないし１７のいずれか１項記載の方法。
【請求項１９】
測定値、予測値、測定値間の差、予測値間の差、または測定値と予測値との間の差を、前記物理的環境の少なくとも一部とその関連ネットワークコンポーネントとをモデル化する前記コンピュータ化モデルにおいてオーバレイとして表示する請求項１ないし１８のいずれか１項記載の方法。
【請求項２０】
通信ネットワーク（複数可）を設計、配備または最適化するコンピュータ化システムであって、
（Ａ）通信ネットワークが設置されるかまたは設置されることになる物理的環境を表し、該物理的環境の少なくとも一部の表示を提供するコンピュータ化モデルと、
（Ｂ）前記物理的環境において使用される可能性のある複数のシステムコンポーネントの性能属性と、
１つまたは複数の
（Ｃ）前記コンピュータ化モデルと、前記複数のコンポーネントのうちの特定のコンポーネントの前記性能属性とを使用して前記通信ネットワークの性能特性を予測する１つまたは複数の予測モデルと、
（Ｄ）１つまたは複数の測定ラン中に１つまたは複数のロケーションにおいて前記物理的環境から採取される実際の性能測定値と、
（Ｅ）前記通信ネットワークの設置、調達、および維持に関連するコストデータと
を提供する手段と、
前記通信ネットワークにおいて使用するために前記複数のシステムコンポーネントから特定のコンポーネントを選択する手段と、
前記コンピュータ化モデルを使用して前記物理的環境のコンピュータ表現を表示し、該コンピュータ表現が、該物理的環境内で前記選択するステップにおいて選択された特定のコンポーネントのロケーションと、該物理的環境内の１つまたは複数のロケーションに対する性能情報とを示し、該性能情報が、
（Ａ）１つまたは複数のアイコンの形態で前記１つまたは複数のロケーションで表示されるものと、
（Ｂ）実際の性能測定値と予測された性能値との比較を示すものと、
（Ｃ）２つ以上の測定ラン中に採取される実際の性能測定値の比較を示すものと、
（Ｄ）少なくとも２つの異なるシミュレーションで行われる少なくとも２つの異なる推定の比較を示すものと
のうちの任意の１つまたは複数であるディスプレイと
を具備するコンピュータ化システム。
【請求項２１】
前記コンピュータ表現は、前記表示するステップにおいて３次元で表示される請求項２０記載のコンピュータ化システム。
【請求項２２】
前記１つまたは複数のアイコンは、前記ディスプレイに３次元で表示される請求項２０または２１記載のコンピュータ化システム。
【請求項２３】
（Ｂ）、（Ｃ）、または（Ｄ）で指定される、前記ディスプレイに表示される比較は、１つまたは複数のアイコンとして表示される請求項２０ないし２２のいずれか１項記載のコンピュータ化システム。
【請求項２４】
前記比較を示す前記１つまたは複数のアイコンは、前記物理的環境の前記コンピュータ表現における前記１つまたは複数のロケーションに表示される請求項２３記載のコンピュータ化システム。
【請求項２５】
前記比較を示す前記１つまたは複数のアイコンは、１つまたは複数の注視点の機能を有する請求項２０ないし２４のいずれか１項記載のコンピュータ化システム。
【請求項２６】
前記比較を示す前記１つまたは複数のアイコンは、注視点のグリッドの機能を有する請求項２０ないし２４のいずれか１項記載のコンピュータ化システム。
【請求項２７】
前記比較は、同じかまたは異なる、周波数、スペクトル帯域、動作モード、物理的環境、通信ネットワーク設計、ネットワークコンポーネント、データ伝送レート、パケットサイズ、変調技法、パワーレベル、疑似雑音符号順序制御、疑似雑音符号チップタイミング、光周波数帯域、ネットワークプロトコル、帯域幅、多重アクセス技法、アンテナ分配システム、アンテナシステム、配線アーキテクチャ、ケーブル布線方法、またはシステム分散方法、システムコンポーネントの物理的相互接続、ソースまたは誤り符号化方法、トラフィック負荷状況、ユーザ密度、伝播モデル、またはネットワーク構成のうちの任意のものを使用することに起因する通信ネットワークの性能に対する影響を示す請求項２０ないし２６のいずれか１項記載のコンピュータ化システム。
【請求項２８】
前記１つまたは複数のアイコンは、高さ、半径、明度、色相、彩度、線タイプおよび幅、透明度、および表面テクスチャからなるグループから選択される属性を有し、該属性のうちの１つまたは複数は、前記性能データによって変化する請求項２０ないし２７のいずれか１項記載のコンピュータ化システム。
【請求項２９】
前記１つまたは複数のアイコンは、グラフィカルな円柱で示される請求項２８記載のコンピュータ化システム。
【請求項３０】
前記複数のシステムコンポーネントは、基地局、送受信機、ケーブル布線、コネクタ、スプリッタ、増幅器、アンテナ、送信機、ＲＦ配線、基地局コントローラ、交換機、光・ＲＦカプラ、無線アクセスポイント、トランスレータ、コンバータ、無線または赤外線または有線インフラストラクチャ、光またはＲＦまたはベースバンドネットワークコンポーネント、ファイアウォール、測定装置、減衰器、リピータ、カプラ、接続箱、スプライサ、ルータ、ハブ、トランスデューサ、および他のハードウェアコンポーネントからなるグループから選択される請求項２０ないし２９のいずれか１項記載のコンピュータ化システム。
【請求項３１】
前記性能情報は、信号対干渉比（ＳＩＲ）、信号対雑音比（ＳＮＲ）、無線信号強度（ＲＳＳＩ）、搬送波対雑音比（ＣＮＲ）、雑音、干渉、ＲＭＳ遅延スプレッド、歪み、カバレッジ領域、許容可能サービス領域、ビットまたはフレーム誤り率、ネットワークスループット、レイテンシ、パケット誤り率、サービス品質、許容可能サービス品質の領域、伝送トラフィック、無線周波数性能値、チップエネルギ対干渉比、搬送波対干渉比、減衰、電波伝搬効果、および他の無線通信または他のネットワーク性能測定基準からなるグループから選択される請求項２０ないし３０のいずれか１項記載のコンピュータ化システム。
【請求項３２】
前記ディスプレイは、絶対値または相対値もしくは差の絶対値または差の相対値を提供する請求項２０ないし３１のいずれか１項記載のコンピュータ化システム。
【請求項３３】
前記実際の性能測定値を取得する手段をさらに具備する請求項２０ないし３２のいずれか１項記載のコンピュータ化システム。
【請求項３４】
前記実際の性能測定値を取得する前記手段は、１つまたは複数の携帯型受信機、１つまたは複数の固定受信機、１つまたは複数の遠隔測定装置、１つまたは複数の自律型測定装置、１つまたは複数のハンドヘルド測定装置、１つまたは複数のセンサ、１つまたは複数のセンサネットワーク、１つまたは複数の組込み受信機、無線ベースバンド、ＲＦまたは光ネットワークのための測定装置、有線ベースバンド、ＲＦまたは光ネットワークのための測定装置からなる測定装置のグループのうちの１つまたは複数か、もしくはマニュアルデータ入力によって提供される請求項３３記載のコンピュータ化システム。
【請求項３５】
前記実際の性能測定値は、前記測定装置グループからの１つまたは複数の受信機のうちの複数または組合せから、パラレルにまたはシリアルに取得される請求項３４記載のコンピュータ化システム。
【請求項３６】
前記ディスプレイは、クライアントとサーバのいずれかあるいは両方に配置される請求項２０ないし３５のいずれか１項記載のコンピュータ化システム。
【請求項３７】
前記ディスプレイは、任意の角度、向き、距離、または透視法からの視覚化に対して調整されることが可能である請求項２０ないし３６のいずれか１項記載のコンピュータ化システム。
【請求項３８】
前記測定値、予測値、測定値間の差、予測値間の差、または測定値と予測値との間の差は、すべて局所平均化される請求項２０ないし３７のいずれか１項記載のコンピュータ化システム。
【請求項３９】
測定値、予測値、測定値間の差、予測値間の差、または測定値と予測値との間の差が、前記物理的環境の少なくとも一部とその関連ネットワークコンポーネントとをモデル化する前記コンピュータ化モデルにおいてオーバレイとして表示される請求項２０ないし３８のいずれか１項記載のコンピュータ化システム。